(57)【要約】【課題】  回転しながら歯面に付着した着色や歯垢を除去するロール型歯ブラシにおいて、その歯垢及び歯面に付着した生体外由来のタバコのヤニ、紅茶や緑茶類の着色を効率良く除去する歯ブラシを考えた。【解決手段】  ロール型歯ブラシにおける回転ブラシ素材を従来のナイロン糸から、その構造壁の平均寸法が１／１００となるメラミン樹脂発泡体に変更することで歯肉に優しく、着色汚れや歯垢除去力の高いロール型歯ブラシを開発した。【選択図】図１
0003158772.tif 000002
【実用新案登録請求の範囲】
【請求項１】
片手で握り往復移動させることができる形状の一方端面に三方向のカバーを設け、対面する側面山形状部中央付近にメラミン樹脂発泡体からなるブラシ部を支持固定できる軸を有する柄に、円筒形状で中央に小孔を有するメラミン樹脂発泡体を固定したことを特徴とするロール型歯ブラシ。
【請求項２】
請求項１のメラミン樹脂発泡体使用のロール型歯ブラシであって、メラミン樹脂発泡体側面部を樹脂により補強したことを特徴とするロール型歯ブラシ。
【請求項３】
請求項１乃至２のロール型歯ブラシであって、メラミン樹脂発泡体ブラシ部が取り替え自由であることを特徴とするロール型歯ブラシ。
【請求項４】
請求項１乃至３のロール型歯ブラシであって、電動歯ブラシであることを特徴とするロール型歯ブラシ。
【考案の詳細な説明】
【技術分野】
【０００１】  本考案は、メラミン樹脂発泡体を使用したロール型歯ブラシに関する。
【背景技術】
【０００２】  ロール型歯ブラシの基本的形状に関しては、昭和４０年７月２９日公開の意匠公報１により示され、基本的な構造に関しては、昭和６３年８月５日公開の公開実用新案公報で示されているように公知である。【０００３】  その後、ロール型歯ブラシ専用の丸ブラシ素子として特許文献１及び、特許文献２などが多数出願されている。しかし、この内容は全てにおいてブラシ部分の詳細な製造方法であった。【０００４】
【意匠公報】
意匠２４８３９０号公報
【実用新案公報】
実用新案  昭６３−１２０９２９号公報
【特許文献１】
特開２００３−３２５２２９
【特許文献２】  特開２００４−９７６９２
【考案の提示】
【考案者が解決しようとする課題】
【０００５】  市販される全てのロール型歯ブラシにおけるブラシ部は、糸径０．０７ミリメートル〜０．１３ミリメートルの糸束を超音波により熔着したディスク形状の薄い丸ブラシ素子を積層した構造で製造されている。この円筒形状のブラシを歯面にあて回転させながら歯垢を除去する歯面清掃具である。この歯ブラシの利点は従来型の歯ブラシと異なり掻き出す方法で歯垢除去をしないため歯肉部分に大きな力が罹ることが少なく優しい歯ブラシと考えられる。
【０００６】  ただしその反面、歯垢除去力に関して不安な面があると同時に、歯間部分の歯垢除去力に大きな問題があった。それに加え、従来型歯ブラシと比較して糸径の細いブラシを使用しているが、歯面に付着した生体外由来のタバコのヤニや緑茶等による着色汚れに対してはほとんど除去できなかった。
【０００７】  本考案者はロール型歯ブラシの構造を利用して歯面を軽く回転させるだけで効率良く歯垢除去を行うと同時に、歯面に付着した着色汚れを歯肉に優しい方法で正確に除去する歯ブラシを考えた。
【課題を解決するための手段】
【０００８】  現状では前記したように糸径０．０７ミリメートル〜０．１３ミリメートルのブラシ材をディスク形状に熔着した丸ブラシ素子と呼ばれる薄いブラシを、適正枚数積層したブラシを取り付け使用している。今回開発した技術は、前記ブラシと比べ歯面に付着した生体外由来の汚れであるタバコのヤニ、紅茶や緑茶の永年に亘る着色や歯垢を効率良く除去するため、ブラシに変え回転体部分にメラミン樹脂発泡体を使用した。その他にも、耐久力を上昇させ繰り返し使用するため、メラミン樹脂発泡体両側面を樹脂で補強した。
【考案の実施するための最良の形態】
【０００９】  次に、考案の実施するための最良の形態を図をもって説明する。
【００１０】  図１においてメラミン樹脂発泡体のローラーを使用したロール型歯ブラシ全体の正面図を提示した。このロール型歯ブラシは手動式及び電動式により使用される。まず一方端部分に回転自由に保持されるメラミン樹脂発泡体ローラー１を取り付けピン３によりローラーカバー８に両側面から保持される構造であり、メラミン樹脂発泡体ローラー１側面部分には補強目的から極薄の樹脂プレートを装着した樹脂補強部２を設けその中央部分に取り付けピン３を通すための貫通小孔であるローラー中央小孔６を有する形状とした。又、前記ローラーと本体部５を結ぶ歯ブラシネック部４は口腔内における操作性を向上させる目的から細く曲線形状とした。
【００１１】  図２において、ローラーの各部を照会し、図３においてメラミン樹脂発泡体ローラーを取り除いた歯ブラシ各部を平面図で照会した。ローラーカバー８の中央部分に設けた乾燥窓７はメラミン樹脂発泡体ローラー１の使用後における乾燥を速め清潔に保つ目的があり、取り付けピン３の形状はメラミン樹脂発泡体特有の物性（伸縮性）を利用し取り替え方式のピンの形状を示した。固定式の場合は前記したようにローラーカバー８両側面とメラミン樹脂発泡体ローラー１中央に貫通小孔を開け、別のピンを挿入先端を熱によりカシメ固定する。
【考案の効果】
【００１２】  メラミン樹脂発泡体ローラーを使用することで次にあげる効果があった。
【００１３】  第一に、回転することで歯肉に対して大きな力が掛ることなくブラッシングすることができ歯肉を痛めることが少なくなった。かと言って、メラミン樹脂発泡体における生体外由来の着色及び歯垢除去力は、従来の歯ブラシと比較し効率が良くロール型歯ブラシのように軽い回転力だけにおいても高い効果をあげることができた。この効果に対しては大学等の研究においても実証されている。
【図面の簡単な説明】
【００１４】
【図１】  ブラシ部にメラミン樹脂発泡体を使用したロール型ブラシ全体を示す正面図。
【図２】  ブラッシング面に対し側面（取り付け面）を樹脂をもって補強したメラミン樹脂発泡体ローラーの斜指図。
【図３】  メラミン樹脂発泡体ローラー取り付け部を示す平面図。
【符号の説明】
【００１５】  １．  メラミン樹脂発泡体ローラー
２．  樹脂補強部
３．  取り付けピン
４．  歯ブラシネック部
５．  本体部
６．  ローラー中央小孔
７．  乾燥窓
８．  ローラーカバー
【図１】
0003158772.tif 000003
【図２】
0003158772.tif 000004
【図３】
0003158772.tif 000005
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
片手で握り往復移動させることができる形状の一方端面に三方向のカバーを設け、対面する側面山形状部中央付近にメラミン樹脂発泡体からなるブラシ部を支持固定できる軸を有する柄に、円筒形状で中央に小孔を有するメラミン樹脂発泡体を固定したことを特徴とするロール型歯ブラシ。
【請求項２】
請求項１のメラミン樹脂発泡体使用のロール型歯ブラシであって、メラミン樹脂発泡体側面部を樹脂により補強したことを特徴とするロール型歯ブラシ。
【請求項３】
請求項１又は２に記載のロール型歯ブラシであって、メラミン樹脂発泡体ブラシ部が取り替え自由であることを特徴とするロール型歯ブラシ。
【請求項４】
請求項１又は２に記載のロール型歯ブラシであって、電動歯ブラシであることを特徴とするロール型歯ブラシ。
【請求項５】
請求項３のロール型歯ブラシであって、電動歯ブラシであることを特徴とするロール型歯ブラシ。
【請求項６】
請求項４のロール型歯ブラシであって、電動歯ブラシであることを特徴とするロール型歯ブラシ。